(57)【要約】【課題】原稿載置ユニットと原稿読取ユニットの組立を確実に行われたかを検知できるようにすること。【解決手段】画像読取装置は、原稿載置ユニット１１Ａと、原稿載置ユニット１１Ａの下部に組み付けられて、原稿載置ユニット１１Ａに載置された原稿を読み取る原稿読取ユニット１１Ｂと、原稿載置ユニット１１Ａに設けられた弾性変形可能なフック片４４と、原稿読取ユニット１１Ｂに設けられて、フック片４４が係合することによって、原稿載置ユニット１１Ａと原稿読取ユニット１１Ｂとの組み付け状態を保持する筒部５３と、フック片４４が、筒部５３に対して係合途中で、原稿載置ユニット１１Ａと原稿読取ユニット１１Ｂとを組み付け状態に保持できていないことを、フック片４４の弾性変形によって検知する組立検知部６０と、を備え、組立検知部６０によって、原稿載置ユニットと原稿読取ユニット１１Ｂとを組み付け状態が不完全であることを検知できる。【選択図】図５
2016092730.tif 000002
【特許請求の範囲】
【請求項１】
原稿が載置される原稿載置ユニットと、
前記原稿載置ユニットの下部に組み付けられて、前記原稿載置ユニットに載置された原稿を読み取る原稿読取ユニットと、
前記原稿載置ユニットと前記原稿読取ユニットとの一方に設けられた弾性変形可能な係合部と、
前記原稿載置ユニットと前記原稿読取ユニットとの他方に設けられて、前記係合部が係合することによって、前記原稿載置ユニットと前記原稿読取ユニットとの組み付け状態を保持する被係合部と、
前記係合部が、前記被係合部に対して係合途中で、前記原稿載置ユニットと前記原稿読取ユニットとを組み付け状態に保持できていないことを、前記係合部の弾性変形によって検知するユニット組立検知手段と、を備えた、
ことを特徴とする画像読取装置。
【請求項２】
前記原稿載置ユニットは、原稿が載置される透明部材と、前記透明部材を支持するフレームと、前記フレームに設けられた前記係合部と、を有し、
前記原稿読取ユニットは、前記透明部材に載置された原稿を読み取る読取部と、前記読取部を内在するケーシングと、前記ケーシングに設けられた被係合部と、を有し、
前記ユニット組立検知手段は、一端部が前記係合部の先端部に接続されて、中間部が前記係合部に沿って設けられ、他端部が前記透明部材と前記フレームとの間に延長した可撓性を有する移動片と、前記移動片の位置を検知する検知部とを有し、
前記読取部は、前記検知部と兼用されている、
ことを特徴とする請求項１に記載の画像読取装置。
【請求項３】
原稿を読み取る請求項１又は２に記載の画像読取装置と、
前記画像読取装置の画像読取情報に基づいてシートに画像を形成する画像形成手段と、を備えた、
ことを特徴とする画像形成装置。
【発明の詳細な説明】
【技術分野】
【０００１】
本発明は、原稿を読み取る画像読取装置と、この画像読取装置を装置本体に備えた画像形成装置とに関する。
【背景技術】
【０００２】
従来、原稿を読み取る画像読取装置は、上部に原稿を載置される透明部材を備え、内部に原稿を読み取る読取部を備えている。そして、画像読取装置は、透明部材を備えた原稿載置ユニットと、読取部を備えた原稿読取ユニットを別々に組み立てた後、一体化する構造になっている（特許文献１）。
【先行技術文献】
【特許文献】
【０００３】
【特許文献１】特開平１１−３４６２８３号公報
【発明の概要】
【発明が解決しようとする課題】
【０００４】
ところが、従来の画像読取装置は、原稿載置ユニットと原稿読取ユニットとが確実に組み立てられていないことに気が付かないで、ねじ止めされてしまうおそれがあった。このため、従来の画像読取装置は、画像読取精度が低下することがあった。
【０００５】
本発明は、組立を確実に行われたか否かを検知できる画像読取装置と、この画像読取装置を備えた画像形成装置とを提供することにある。
【課題を解決するための手段】
【０００６】
本発明の画像読取装置は、原稿が載置される原稿載置ユニットと、前記原稿載置ユニットの下部に組み付けられて、前記原稿載置ユニットに載置された原稿を読み取る原稿読取ユニットと、前記原稿載置ユニットと前記原稿読取ユニットとの一方に設けられた弾性変形可能な係合部と、前記原稿載置ユニットと前記原稿読取ユニットとの他方に設けられて、前記係合部が係合することによって、前記原稿載置ユニットと前記原稿読取ユニットとの組み付け状態を保持する被係合部と、前記係合部が、前記被係合部に対して係合途中で、前記原稿載置ユニットと前記原稿読取ユニットとを組み付け状態に保持できていないことを、前記係合部の弾性変形によって検知するユニット組立検知手段と、を備えた、ことを特徴としている。
【発明の効果】
【０００７】
本発明の画像読取装置は、ユニット組立検知手段によって、原稿載置ユニットと原稿読取ユニットとを組み付け状態になっていないことを検知できるので、組立を確実に行うことができて、画像読取精度の低下を防止することができる。
【図面の簡単な説明】
【０００８】
【図１】本発明の実施形態における画像形成装置のシート搬送方向に沿った断面図である。
【図２】本発明の実施形態における画像読取装置の外観斜視図であり、押圧板を省略した図である。
【図３】図２の画像読取装置において、原稿載置ユニットと原稿読取ユニットとを分離した外観斜視図である。
【図４】図３の画像読取装置におけるフック片と筒部との斜視図である。
【図５】図２の画像読取装置におけるフック片と筒部との係合状態を示す斜視図であり、図２のＭ−Ｍ矢視断面図である。
【図６】フック片と筒部との係合動作を説明する図である。（Ａ）は、図５の断面図である。（Ｂ）は、フック片が筒部に対して係合途中の断面図である。
【図７】フック片が湾曲して、移動片がフレームと原稿台ガラスとの間に押し込まれる理由を説明するための図である。
【図８】移動片の移動端部を示す平面図である。（Ａ）は、原稿読取ユニットと原稿載置ユニットとが確実に組み立てられときの、ラインセンサと移動片の検知線との位置関係を示す図である。（Ｂ）は、原稿読取ユニットと原稿載置ユニットとの組立が不確実であるときの、ラインセンサと移動片の検知線との位置関係を示す図である。
【発明を実施するための形態】
【０００９】
以下、本発明の実施形態の画像読取装置と、この画像読取装置を装置本体に備えた画像形成装置とを図に基づいて説明をする。なお、本発明の実施形態に記載されている構成部品の形状、その相対位置関係等は、発明が適用される装置の構成や各種条件により適宜変更されるものであり、特に特定的な記載が無い限りは、本発明をそれらのみに限定するものではない。また、図において、Ｘ方向は、ラインセンサ５１の移動方向であり、副走査方向）である。Ｙ方向は、前後方向であり、ラインセンサ５１の主走査方向である。Ｚ方向は上下方向である。各方向は、互いに直角になっている。
【００１０】
（画像形成装置）
図１は、画像形成装置１０のシート搬送方向に沿った断面図である。画像形成装置１０は、装置本体１０Ａと、装置本体１０Ａの上部に設けられた画像読取装置１１とを備えている。装置本体１０Ａは、画像読取装置１１が読み取った原稿の画像をシートに複写するようになっている。
【００１１】
装置本体１０Ａは、画像形成部１２を備えている。画像形成手段としての画像形成部１２は、矢印Ａ方向に回転する感光ドラム２０を有している。感光ドラム２０の周囲には、その回転方向に沿って順に、帯電ローラ２１、レーザ露光器２２、現像ローラ２３、転写ローラ２４、及びクリーナ２５が配設されている。また、転写ローラ２４のシート搬送方向Ｂの下流側には、定着装置２６が配設されている。感光ドラム２０の周面は、帯電ローラ２１によって所定の極性、電位に帯電され、レーザ露光器２２によって静電潜像が形成される。レーザ露光器２２は、画像読取装置１１が読み取った原稿Ｄの画像読取情報に基づいてレーザ光Ｌを発光し、感光ドラム２０の周面を露光して露光部分の電位を変更し、静電潜像を形成する。この静電潜像には、現像ローラ２３によってトナー（現像剤）が付着されてトナー像として現像される。
【００１２】
一方、画像が形成されるシートＰは、シート給送装置１３によって、感光ドラム２０の表面のトナー像にタイミングを合わせて搬送される。シート給送装置１３は、複数枚のシートＰが積層状態で収納された給紙カセット３０、ピックアップローラ３１、レジストローラ対３２、排出ローラ対３３、及び排出トレイ３４等で構成されている。給紙カセット３０内のシートＰは、ピックアップローラ３１によって１枚だけ給紙され、レジストローラ対３２に向けて搬送される。搬送されたシートＰは、レジストローラ対３２によって一旦停止されて、斜行が矯正される。シートＰは、感光ドラム２０に既に形成されているトナー像が、感光ドラム２０と転写ローラ２４との間の転写ニップ部に搬送されるタイミングに合わせて、転写ニップ部に供給され、転写ローラ２４によってトナー像が転写される。トナー像転写後に感光ドラム２０の表面に残った転写残トナーは、クリーナ２５によって除去されて、再度使用される。
【００１３】
一方の面にトナー画像を形成されたシートＰは、定着装置２６によって加熱、加圧されて表面にトナー像が定着され、排出ローラ対３３によって排出トレイ３４に排出される。
【００１４】
シートの他方の面にもトナー像を形成する場合には、排出ローラ対３３がシート全体を排出トレイ３４に排出する直前に、逆回転してシートを両面パス３５に送り込む。このとき、シートは、スイッチバック搬送されたことになるので、裏返しになる。シートは、両面パス３５の案内と、両面搬送ローラ対３６の搬送とによって、レジストローラ対３２のシート搬送方向の上流側に送り込まれる。その後、シートは、一方の面にトナー像を形成されたときと同様にして、他方の面にもトナー像を形成されて排出トレイ３４に排出される。
【００１５】
（画像読取装置）
図２は、本発明の実施形態における画像読取装置１１の外観斜視図であり、押圧板４３を省略した図である。図３は、図２の画像読取装置１１において、原稿載置ユニット１１Ａと原稿読取ユニット１１Ｂとを分離した外観斜視図である。図４は、図３の画像読取装置１１におけるフック片４４と筒部５３との斜視図である。
【００１６】
画像読取装置１１は、原稿が載置される原稿載置ユニット１１Ａと、原稿載置ユニット１１Ａの下部に分離可能に設けられて、原稿載置ユニット１１Ａに載置された原稿を読み取る原稿読取ユニット１１Ｂと、を備えている。
【００１７】
原稿載置ユニット１１Ａは、原稿が載置される透明部材としての原稿台ガラス４１と、原稿台ガラス４１を支持するフレーム４２と、フレーム４２に設けられて原稿台ガラス４１を開閉可能な押圧板４３等を備えている。押圧板４３は、原稿台ガラス４１の上面を閉めた状態で、原稿を原稿台ガラス４１に押圧するようになっている。フレーム４２の背部４２ａには、係合部としてのフック片４４が、弾性変形可能にフレーム４２と一体に樹脂成型されている。フック片４４は、原稿読取ユニット１１Ｂに向けて下向きに形成されている。
【００１８】
原稿読取ユニット１１Ｂは、透明部材に載置された原稿を読み取る読取部としてのラインセンサ５１（図１）と、ラインセンサ５１を内在するケーシング５２とを備えている。ケーシング５２の後部５２ａ（図３）には、被係合部としての筒部５３がケーシング５２と一体に樹脂成型されている。筒部５３（図４）には、ケーシング５２に対して上下方向（矢印Ｚ方向）の向きに貫通孔５４が形成されている。筒部５３の下端縁５３ａ近くには、Ｘ方向に延びた突条５３ｂが形成されている。
【００１９】
図５は、図２の画像読取装置１１におけるフック片４４と筒部５３との係合状態を示す斜視図であり、図２のＭ−Ｍ矢視断面図である。図６は、フック片４４と筒部５３との係合動作を説明する図である。（Ａ）は、図５の断面図である。（Ｂ）は、フック片４４が筒部５３に対して係合途中のときの断面図である。
【００２０】
画像読取装置１１（図１、図２）は、原稿読取ユニット１１Ｂに原稿載置ユニット１１Ａを重ねて組み立てられている。図４において、原稿読取ユニット１１Ｂに原稿載置ユニット１１Ａを重ねて組み立てるとき、フック片４４を筒部５３に挿入する。筒部５３において、突条５３ｂが形成された部分の貫通孔５４の隙間Ｇ１（図６（Ａ））は、フック片４４の先端部４４ｂに設けられたフック４４ａの厚みＴ１（図６（Ａ））より広く形成されている。フック片４４は、筒部５３を貫通して、フック４４ａが筒部５３の下端縁５３ａに係合する。このことによって、原稿読取ユニット１１Ｂと原稿載置ユニット１１Ａとの組み付け状態が保持される。なお、原稿読取ユニット１１Ｂと原稿載置ユニット１１Ａとは、他の部分にも設けた不図示の係合機構によっても、一体化される。
【００２１】
画像読取装置１１は、ユーザによって原稿が載置された原稿台ガラス４１の下をラインセンサ５１が図１、図２において、副走査方向（矢印Ｘ方向）に移動する。ラインセンサ５１は、移動しながら、原稿を照射し、反射光を受光して、原稿を読み取る。ラインセンサ５１は、ラインセンサ５１の移動方向Ｘに対して直角の主走査方向（矢印Ｙ方向）の向きに配置された長尺の部材である。
【００２２】
ところで、本実施形態の画像読取装置１１は、原稿読取ユニット１１Ｂと原稿載置ユニット１１Ａとを組み立てるとき、フック片４４が筒部５３に挿入されても、フック４４ａが筒部５３の下端縁５３ａに係合しないと、確実に組み立てられたことにならない。そこで、本実施形態の画像読取装置１１は、原稿読取ユニット１１Ｂと原稿載置ユニット１１Ａとが確実に組み立てられたか否かを検知するユニット組立検知手段としての組立検知部６０を備えている。
【００２３】
組立検知部６０は、帯状の移動片６１と、移動片６１の位置を検知する検知部としてのラインセンサ５１等を備えている。帯状の移動片６１は、一端部６１ａがフック片４４の先端部４４ｂに接続位置ＣＴで接続されて、中間部６１ｂがフック片４４に沿って設けられ、他端部６１ｃが原稿台ガラス４１とフレーム４２との間に延長した透明で可撓性を有したラミネート状の部材である。フレーム４２には、移動片６１の他端部６１ｃの移動を案内する溝４２ｂ（図４）がラインセンサ５１に沿った方向（主走査方向、矢印Ｙ方向）に形成されている。移動片６１の中間部６１ｂは、フレーム４２と一体で、移動片６１の幅方向（矢印Ｘ方向）を向いた支持軸４５に支持されて、Ｌ字状に湾曲している。湾曲した中間部６１ｂとフック片４４の基端部４４ｃとの間には、隙間Ｇ２が形成されている。
【００２４】
図６は、フック片４４と筒部５３との係合動作を説明する図である。（Ａ）は、図５の断面図である。（Ｂ）は、フック片４４が筒部５３に対して係合途中のときの断面図である。図７は、フック片４４が湾曲して、移動片６１がフレーム４２と原稿台ガラス４１との間に押し込まれる理由を説明するための図である。図８は、移動片６１の移動端部（他端部６１ｃ）を示す平面図である。（Ａ）は、原稿読取ユニット１１Ｂと原稿載置ユニット１１Ａとが確実に組み立てられたときの、ラインセンサ５１と移動片６１の検知線６２との位置関係を示す図である。（Ｂ）は、原稿読取ユニット１１Ｂと原稿載置ユニット１１Ａとの組立が不確実であるときの、ラインセンサ５１と移動片６１の検知線６２との位置関係を示す図である。
【００２５】
原稿読取ユニット１１Ｂと原稿載置ユニット１１Ａとの組立が不確実であると、図６（Ｂ）に示すように、フック片４４は、フック４４ａが筒部５３の突条５３ｂに当接したままの係合途中になって、フレーム４２の内側（Ｙａ方向）に湾曲する。この場合、図７に示す様に、フック片４４は、フック片４４の基端部４４ｃの湾曲中心Ｏ１を中心にして矢印Ｙａ方向に湾曲する。フック片４４の先端部４４ｂには、移動片６１の一端部６１ａが、図７の符号ＣＴで示す接続位置で接続されている。このため、移動片６１は、支持軸４５に支持された中間部６１ｂの湾曲中心Ｏ２を中心にして湾曲する。
【００２６】
仮に、フック片４４と移動片６１とが接続されていないとしたときの、フック片４４の接続位置ＣＴは、フック片４４の湾曲中心Ｏ１を中心にして、湾曲中心Ｏ１と接続位置ＣＴとの曲率半径Ｒ１の軌跡４４ＣＴを実線で示すように描く。また、移動片６１の接続位置ＣＴは、移動片６１の湾曲中心Ｏ２を中心にして、湾曲中心Ｏ２と接続位置ＣＴとの曲率半径Ｒ２の軌跡６１ＣＴを破線で示すように描く。しかも、軌跡６１ＣＴは、軌跡４４ＣＴより距離Ｋだけ外側である。しかし、フック片４４と移動片６１は接続位置ＣＴで接続されている。このため、フック片４４と移動片６１とが矢印Ｙａ方向に湾曲すると、距離Ｋだけ、移動片６１がフレーム４２の溝４２ｂ内を矢印Ｙａ方向に押し込まれる。
【００２７】
仮に、図６（Ａ）に示すように、原稿読取ユニット１１Ｂと原稿載置ユニット１１Ａとの組立が確実である場合には、フック片４４は、筒部５３に係合して、湾曲していないので、移動片６１が距離Ｋ、移動することがない。図８に示すように、移動片６１の移動端部である他端部６１ｃには、移動片６１の長さ方向に対して交差する方向（Ｘ方向）に検知線６２が形成されている。移動片６１が移動しないと、検知線６２も移動しない。
【００２８】
このため、図８（Ａ）で示すように、検知線６２がラインセンサ５１に検知されない。この場合には、不図示の操作パネルに組立が確実に行われたことが表示されるか、あるいは、何等表示されない。
【００２９】
しかし、図６（Ｂ）に示すように、原稿読取ユニット１１Ｂと原稿載置ユニット１１Ａとの組み立てが不確実で、フック片４４のフック４４ａが筒部５３の突条５３ｂの途中に当接している場合、上記のように、フック片４４が矢印Ｙａ方向に湾曲する。すると、図８（Ｂ）に示すように、移動片６１が矢印Ｙａ方向に移動し、検知線６２も矢印Ｙａ方向に移動する。ラインセンサ５１の検知部ＳＬと検知線６２とが重なり、ラインセンサ５１は、図６（Ａ）の正規に位置と異なる位置にいることを検知する。このような場合、画像形成装置の不図示の操作パネルに、原稿読取ユニット１１Ｂと原稿載置ユニット１１Ａとが半閉まりであることが表示される。
【００３０】
なお、ラインセンサ５１は、メンテナンス時に、原稿読取ユニット１１Ｂと原稿載置ユニット１１Ａとが確実に組み立てられたものとして、電源を入れられることによって、検知線６２の検知を行う。
【００３１】
以上のように、画像読取装置１１は、フック片４４の湾曲によって移動する移動片の位置をラインセンサ５１で検知して、原稿読取ユニット１１Ｂと原稿載置ユニット１１Ａとの組立が不確実であることを見逃すのを防止することができるようになっている。
【００３２】
また、画像形成装置１０は、原稿台ガラス４１（図６）の上面４１ａ及び原稿とラインセンサ５１との間隔Ｅを一定にして、画像読取精度の低下を防止された構成になっている。
【００３３】
さらに、画像読取装置１１は、組立のために設けたフック片４４及び筒部５３と、原稿を読み取るために設けたラインセンサ５１とを使用しているため、簡単な構造で、原稿読取ユニットと原稿載置ユニットとの半閉まりを見逃すのを防止できるようになっている。特に、ラインセンサ５１が、原稿読取ユニット１１Ｂと原稿載置ユニット１１Ａとの組立の不確実検知とに兼用されているので、画像形成装置１０の構造を簡単にすることができる。
【００３４】
また、フック片４４と筒部５３は、一般に画像読取装置１１の後部の見にくい場所に設けられていることが多く、フック片４４が筒部５３に確実に係合したか否かを確認しにくいことがある。しかし、フック片４４と筒部５３を直接見なくても、組立検知部６０によって、原稿読取ユニット１１Ｂと原稿載置ユニット１１Ａとの組立を確認できるので、画像読取装置１１の組立作業能率を向上させることができる。
【００３５】
なお、以上の説明では、フック片４４の湾曲を移動片６１の移動によって検知するようになっているが、フック片自体の湾曲を原稿読取ユニットに設けたセンサで検知して、原稿読取ユニットと原稿載置ユニットとの組立が不確実である検知してもよい。この場合、フック片４４を原稿読取ユニット１１Ｂに設け、筒部５３を原稿載置ユニット１１Ａに設けてもよい。したがって、ユニット組立検知手段は、フック片４４、移動片６１、ラインセンサ５１等からなる組立検知部６０のみに、限定されるものではない。
【符号の説明】
【００３６】
１０：画像形成装置、１０Ａ：画像形成装置の装置本体、１１：画像読取装置、１１Ａ：原稿載置ユニット、１１Ｂ：原稿読取ユニット、１２：画像形成部（画像形成手段）、２０：感光ドラム、２６：定着装置、４１：原稿台ガラス（透明部材）、４２：フレーム、４２ｂ：溝、４３：押圧板、４４：フック片（係合部）、４４ａ：フック、４４ｂ：先端部、４４ｃ：基端部、４４ＣＴ：軌跡、５１：ラインセンサ（読取部、検知部）、５２：ケーシング、５３：筒部（被係合部）、５３ａ：下端縁、５３ｂ：突条、５４：貫通孔、６０：組立検知部（ユニット組立検知手段）、６１：移動片、６１ａ：一端部、６１ｂ：中間部、６１ｃ：他端部、６１ＣＴ：軌跡、６２：検知線、Ｂ：シート搬送方向、ＣＴ：接続位置、Ｄ：原稿、Ｇ１：隙間、Ｇ２：隙間、Ｋ：距離、Ｏ１：湾曲中心、Ｏ２：湾曲中心、Ｐ：シート。
【図１】
2016092730.tif 000003
【図２】
2016092730.tif 000004
【図３】
2016092730.tif 000005
【図４】
2016092730.tif 000006
【図５】
2016092730.tif 000007
【図６】
2016092730.tif 000008
【図７】
2016092730.tif 000009
【図８】
2016092730.tif 000010